(57)【要約】  本発明に係る装丁フォルダは、紙葉束（１５）を束ねるための装丁フォルダであって、装丁フォルダ（１）が、本質的に、少なくとも一枚のカバーシート（４）を備えた背部材（２）を備え、背部材（２）が、底部（６）及び二つの垂直アーム（７ａ，７ｂ）を有するＵ字状プロファイル（５）を有し、カバーシート（４）が一方のアーム（７ｂ）に取り付けられ、装丁フォルダ（１）に、紙葉束（１５）を装丁フォルダ（１）内に取り付けるための接着剤層（１３）が設けられている装丁フォルダにおいて、接着剤層（１３）が、前記アーム（７ｂ）の剛性延長部に適用され、接着剤層（１３）がＵ字状プロファイル（５）に対して折り曲げたり、動いたりすることができないようにしたことを特徴とする。【選択図】    図３
2020518489.tif 000002
【特許請求の範囲】
【請求項１】
紙葉束（１５）を束ねるための装丁フォルダであって、
装丁フォルダ（１）が、本質的に、少なくとも一枚のカバーシート（４）を備えた背部材（２）を備え、
背部材（２）が、底部（６）及び二つの垂直アーム（７ａ，７ｂ）を有するＵ字状プロファイル（５）を有し、
カバーシート（４）が一方のアーム（７ｂ）に取り付けられ、
装丁フォルダ（１）に、紙葉束（１５）を装丁フォルダ（１）内に取り付けるための接着剤層（１３）が設けられている
装丁フォルダにおいて、
接着剤層（１３）が、前記アーム（７ｂ）の剛性延長部に適用され、接着剤層（１３）がＵ字状プロファイル（５）に対して折り曲げたり、動いたりすることができないようにした
ことを特徴とする装丁フォルダ。
【請求項２】
背部材（２）の前記アーム（７ｂ）が、他方のアーム（７ａ）より長く、
接着剤層（１３）が前記アーム（７ｂ）の延長部分のレベル上に適用されている
ことを特徴とする請求項１に記載の装丁フォルダ。
【請求項３】
前記アーム（７ｂ）の剛性延長部が、剛性接着部材（９）を用いてカバーシート（４）を前記アーム（７ｂ）に取り付けることによって実現され、
接着剤層（１３）が前記剛性接着部材（９）のレベルに適用される
ことを特徴とする請求項１に記載の装丁フォルダ。
【請求項４】
前記剛性接着部材（９）が、カバーシート（４）を剛性材料で形成し、カバー材料（４）を重ね合わせ縁部（１２）でアーム（７ｂ）に取り付けることによって実現される
ことを特徴とする請求項３に記載の装丁フォルダ。
【請求項５】
前記剛性接着部材（９）が、背部材（２）の一方のアーム（７ｂ）を他方のアーム（７ａ）より長くし、カバーシート（４）を重ね合わせ縁部（１２）で長いアーム（７ｂ）に取り付けることによって実現される
ことを特徴とする請求項３に記載の装丁フォルダ。
【請求項６】
カバーシート（４）が、アーム（７ｂ）における背部材（２）の内側に面する側に固定される
ことを特徴とする請求項４又は５に記載の装丁フォルダ。
【請求項７】
カバーシート（４）が、アーム（７ｂ）における背部材（２）の外側に面する側に固定される
ことを特徴とする請求項４又は５に記載の装丁フォルダ。
【請求項８】
装丁フォルダに、二つのカバーシート（３，４）が設けられ、
第一カバーシート（３）を、可撓性接着部材（８）を用いて第一アーム（７ａ）に取り付け、第一カバーシートが第一アーム（７ａ）に対して折り開くことができるようにし、
第二カバーシート（４）を第二アーム（７ｂ）に取り付け、この第二アーム（７ｂ）上又はその剛性延長部上に、前記接着剤層（１３）を設けた
ことを特徴とする請求項１〜７の何れか一項に記載の装丁フォルダ。
【請求項９】
可撓性連結部材（８）が、平坦な帯状部材（１０）によって実現され、
該帯状部材（１０）が、第一カバーシート（３）の縁部（１１）に固定され、かつ、第一カバーシート（３）より可撓性があり、
第一カバーシート（３）が、前記帯状部材（１０）を用いてＵ字状背部材（２）のアーム（７ａ）に対して固定される
ことを特徴とする請求項８に記載の装丁フォルダ。
【請求項１０】
可撓性連結部（８）が、第一カバーシート（３）をアーム（７ａ）の延長部に配置し、コーティング（１８）を、少なくとも第一カバーシート（３）及びアーム（７ａ）の周りに設け、一種のヒンジを形成することによって実現される
ことを特徴とする請求項８に記載の装丁フォルダ。
【請求項１１】
コーティング（１８）が、両方のカバーシート（３，４）及び背部材（２）全体に設けられる
ことを特徴とする請求項１０に記載の装丁フォルダ。
【請求項１２】
接着剤層（１３）が、前記重ね合わせ縁部（１２）上に配置されている
ことを特徴とする請求項４〜１１の何れか一項に記載の装丁フォルダ。
【請求項１３】
接着剤層（１３）に保護ストリップ（１４）が設けられる
ことを特徴とする請求項１〜１２の何れか一項に記載の装丁フォルダ。
【請求項１４】
接着剤が、一本のストリップの形態、又は、点線の形態で付与される
ことを特徴とする請求項１〜１３の何れか一項に記載の装丁フォルダ。
【請求項１５】
第一カバーシート（３）が透明又は半透明材料で形成され、
第二カバーシート（４）が不透明又は非半透明材料で形成される
ことを特徴とする請求項１〜１４の何れか一項に記載の装丁フォルダ。
【請求項１６】
Ｕ字状プロファイル（５）が、例えば、金属のような剛性材料で形成される
ことを特徴とする請求項１〜１５の何れか一項に記載の装丁フォルダ。
【発明の詳細な説明】
【技術分野】
【０００１】
本発明は、紙葉を束ねるための装丁フォルダに関する。
【０００２】
紙葉束が装丁フォルダによって保護されるだけでなく、専門的に提示され得るように、一つの背部材及び二つのカバーシートを備えた装丁フォルダで紙葉束を束ねることは公知である。
【背景技術】
【０００３】
このような装丁フォルダは、紙葉束を束ねるために使用され、束は、接着されるべきサイドエッジを有する背部材から成るＵ字状プロファイル内に置かれ、例えば、背部材のアームをお互いに向けて折り畳むことによってクランプされ得、また、熱溶着接着剤層を用いて背部材に接着され得る。
【０００４】
上記した方法の欠点は、背部材のアームを折り畳んだり、又は、背部材の接着剤層を溶かしたりすることができる特別な機械を用意する必要があることにある。
【０００５】
また、カバーシート上に自己接着性接着剤の層又はストリップが設けられた装丁フォルダも公知であり、前記カバーシートによって、紙葉束を装丁フォルダに適用した後に、紙葉束はカバーシートに接着され得る。
【０００６】
しかし、このような公知の装丁フォルダの欠点は、接着剤層が、装丁された束を容易に開くことを妨げることにある。この装丁束はユーザフレンドリではない。
【０００７】
頻繁に使用する場合、装丁フォルダのカバーシートから束が外れてしまうこともある。
【０００８】
この問題を解決するために、特別に強化された紙葉が、束の一番外側の紙葉に使用される。この解決手段は、勿論、高価であり、また、束を装丁するために、常に二枚の強化された紙葉を用意する必要があるので面倒でもある。
【０００９】
別の解決手段では、自己接着性接着剤が、装丁フォルダのカバーシートの代わりに、束の一番外側の紙葉に設けられる。
【００１０】
この解決手段の欠点は、接着剤を備えた特別な紙葉を用意する必要があることにあり、それがシステムをより複雑化し、かつ、より高価にする。
【００１１】
本発明の目的は、上記した問題点及び他の問題点の少なくとも一つに対する解決手段を提供することにある。
【発明の概要】
【００１２】
本発明の目的は、紙葉束を束ねるための装丁フォルダであって、該装丁フォルダが、本質的に、少なくとも一つのカバーシートを備えた背部材を備え、該背部材が、一つの底部及び二つの直立アームを有するＵ字状プロファイルを備え、カバーシートがアームの一方に取り付けられ、装丁フォルダに、紙葉束を装丁フォルダに取り付けるための接着層が設けられている装丁フォルダにおいて、接着剤層が、前記アームの剛性延長部に設けられ、接着剤層がＵ字状プロファイルに対して、折り曲げられたり動かされたりできないようにされていることを特徴とする装丁フォルダを提供することにある。この装丁フォルダは、前記接着剤層が背部材に対して動かないようにされているので、紙葉束が接着剤層から外れることがないという利点を有する。実際、接着剤層に力や張力が及ぼされることはない。
【００１３】
さらに別の利点は、紙葉束に特別な補強された紙葉や接着剤層を備えた紙葉を設ける必要がないので、このような余分なコストを回避することができる点にある。
【００１４】
別の特徴によれば、本発明に係る装丁フォルダは、接着剤層が前記アームに設けられ、接着剤層がＵ字状プロファイルに対して折り曲げられたり動かされたりできないようにされていることを特徴とする。
【００１５】
ある実施形態では、背部材の前記アームは、他のアームより長くされ、接着剤層は、前記アーム上に又は前記アームの延長部のレベル上に設けられる。
【００１６】
その結果、カバーシートが、背部材の内側で、重ね合わせ縁部を用いてアームに取り付けられる場合、接着剤層は、アーム自身上に、又はアームのレベル上に設けられる。
【００１７】
代わりに、前記アームの剛性延長部を、剛性接着部材を用いて前記アームにカバーシートを取り付けることによって実現し、接着剤層を、この剛性接着部材のレベルに設けるようにすることも可能である。
【００１８】
剛性接着部材又は可撓性接着部材を実現するために、当業者は幾つかの選択肢を有する。
【００１９】
一実施例においては、前記剛性接着部材は、第二カバーシートを剛性材料で形成することにより実現され、カバーシートは、重ね合わせ縁部を用いて剛性Ｕ字状プロファイルのアームに取り付けられる。
【００２０】
代わりに、前記剛性接着部材は、背部材の一方のアームを他方のアームより長くし、第二カバーシートを重ね合わせ縁部を用いてアームに取り付けることによっても実現され得る。
【００２１】
この場合には、非対称の背部材が必要になる。この実施形態の利点は、厚紙や剛性のある厚いプラスチックシートのような、より厚い材料を、第二カバーシートのために使用することができるようになることにある。実際に、下のアームのために、重ね合わせ縁部をより大きくすることができ、この第二カバーシートの取り付けは、より堅固で強固なものになる。
【００２２】
好ましい実施例では、装丁フォルダには二つのカバーシートが設けられ、第一カバーシートは、可撓性接着部材を用いて背部材の第一アームに取り付けられ、この第一カバーシートが第一アームに対して折り開かれることができるようにされ、第二カバーシートは第二アームに取り付けられ、この第二アーム上又はこの第二アームの剛性延長部上に、前記接着剤層が設けられる。
【００２３】
第一カバーシートが、好ましくは、装丁フォルダの前面として使用されることは明らかである。
【００２４】
上記した構成では、第一カバーシートの可撓性接着部材により、紙葉束を通してページをめくることが容易になるという利点を有する。
【００２５】
一実施例では、可撓性連結部は、平坦な帯状部材によって実現され、該帯状部材は第一カバーシートの縁部に固定され、第一カバーシートよりも可撓性があり、第一カバーシートは、この帯状部材を用いてＵ字状背部材のアームに固定される。
【００２６】
この構成は、可撓性ストリップを用いて、第一カバーシートを、背部材又は装丁フォルダに取り付けられた紙葉束に対して簡単に折り曲げたり、広げたりすることができるようにするという利点を有する。第一カバーシート自体を厚く剛性の高い材料で形成することも可能になり、使用時の摩耗や摩滅に対するより良い保護が得られるようになる。
【００２７】
代わりに、可撓性連結部は、第一カバーシートをアームの延長部に配置し、少なくとも第一カバーシート及びアームにコーティングを設け、アームと第一カバーシートとの間に一種のヒンジを形成するようにすることで実現され得る。
【００２８】
これにより、コーティングが、可撓性接着を可能にするだけでなく、装飾的な仕上げも可能にするという利点が得られる。コーティングの材料に応じて、装丁フォルダの汚れ防止や撥水加工も実現され得る。
【図面の簡単な説明】
【００２９】
【図１】本発明による装丁フォルダの概略斜視図である。
【図２】図１のＩＩ−ＩＩ線に沿った概略断面図である。
【図３】図２の概略断面図であるが、この図では、紙葉束がフォルダに適用されている。
【図４】図２の変形例を概略的に示す図である。
【図５】図４の変形例を概略的に示す図である。
【発明を実施するための形態】
【００３０】
本発明の特徴をより良く示すために、本発明による装丁フォルダの幾つかの好ましい実施形態を、添付の図面を参照して、限定的性質を伴わず、例として以下に説明する。
【００３１】
図１には装丁フォルダ１が概略的に示されており、この装丁フォルダ１は、本質的に、一つの背部材２及び二枚のカバーシート３及び４を備えている。
【００３２】
背部材２は、一つの底部６及び二つの直立アーム７ａ，７ｂを備えたＵ字状プロファイル５から成る。
【００３３】
Ｕ字状プロファイル５は、好ましくは、剛性材料、この実施例では金属で形成され、背部材２に必要な強度を与える。本発明に必ずしも必要ではないが、背部材２には、Ｕ字状プロファイル５の周りに適用される、例えば、装飾的なコーティングが設けられる。この実施例では、必ずしも必要ではないが、二枚のカバーシート３及び４が二つの異なる材料で形成されている。
【００３４】
図示実施例では、装丁フォルダ１の前面として機能する第一カバーシート３は、透明又は半透明材料で形成され、装丁フォルダ１の背面として機能する第二カバーシート４は、不透明材料で形成されている。
【００３５】
両方のカバーシート３及び４が透明又は不透明であってもよいことは勿論である。
【００３６】
図２に示すように、カバーシート３及び４は背部材２のアーム７ａ，７ｂに取り付けられる。第一カバーシート３は、可撓性接着部材８を用いて第一アーム７ａに取り付けられ、それにより、第一カバーシート３は第一アーム７ａに対して、折り広げられ得る。第二カバーシート４は、剛性接着部材９を用いて第二アーム７ｂに取り付けられ、その結果、第二カバーシート４は第二アーム７ｂに対して折り広げることはできない。
【００３７】
図示実施例では、可撓性接着部材８は、平坦な帯状部材１０によって実現され、該帯状部材１０は第一カバーシート３の縁部１１に固定され、該第一カバーシート３よりも可撓性があり、第一カバーシート３は、帯状部材１０を用いて背部材２のアーム７ａに対して固定される。
【００３８】
帯状部材１０は、アーム７ａにおける背部材２の内側に面する側に配置される。
【００３９】
さらにまた、前記剛性接着部材９は、この実施例では、剛性材料で形成された第二カバーシート４によって実現され、第二カバーシート４は、重ね合わせ縁部１２によってアーム７ｂに取り付けられる。
【００４０】
この剛性材料は、例えば、厚い厚紙又は剛性材料であり得る。
【００４１】
この実施例では、必ずしも本発明に必要ではないが、第二カバーシート４は、アーム７ｂにおける背部材２の内側に面する側に固定される。
【００４２】
第二カバーシート４上に、装丁フォルダ１に紙葉束を取り付けるための接着剤層１３が設けられている。
【００４３】
接着剤層１３は、前記重ね合わせ縁部１２の上方に配置される。本発明に必ずしも必要ではないが、接着剤層１３は、例えば、重ね合わせ縁部１２上に配置することもできることは勿論である。
【００４４】
この実施例では、自己接着性接着剤が用いられているので、接着剤層１３には、取り外し可能な保護ストリップ１４が設けられている。
【００４５】
接着剤層１３は、背部材２の全長、又は実質的に全長に沿って延びる一つの連続ストリップであり得るが、点線の形態、即ち、中断されたストリップの形態でもよい。
【００４６】
装丁フォルダ１の使用は非常に簡単であり、図３に示されている。
【００４７】
始めに、紙葉が束１５の形態に束ねられる。これは、例えば、図３の束１５のように、縁部１６に沿って紙葉をステープルで留めることによって行われ得る。
【００４８】
また、束１５は縫い付けたり、接着したりすることも可能であることは勿論である。
【００４９】
次に、接着剤層１３の保護ストリップ１４が剥がされる。次いで、束１５は、束ねられた縁部１６によって、装丁フォルダ１の背部材２の中に置かれる。
【００５０】
勿論、束１５の束ねられた縁部１６が最初に背部材２の中に置かれ、その後、接着剤層１３の保護ストリプ１４のみを剥がすことは除外されない。
【００５１】
次いで、第二カバーシート４を束１５に対して押圧することによって、接着剤層１３が紙葉束１５に対して押圧される。これにより、接着剤層１３が、束１５の一番外側の紙葉１７に接着され、その結果、図３に示すように、束１５が装丁フォルダ１内に取り付けられ得る。
【００５２】
図３からも明らかなように、第一カバーシート３は、背部材２に対して簡単に折り開くことができ、束１５は、可撓性接着部材８を用いて背部材２に接着されている。
【００５３】
従って、束１５を通してページをめくることが容易になる。
【００５４】
第二カバーシート４が、剛性接着部材９を用いて背部材２に固定されているので、この第二カバーシート４は、背部材２に対して動かないか、殆ど動かない。これは、第二の最も外側のカバーシート４が折り開けないことを意味する。
【００５５】
従って、第二カバーシート４と綴じられた束１５との間の接続部にはテンションがかからず、接着剤層１３が剥がれる危険がなく、かつ、綴じられた束１５が装丁フォルダ１から外れる危険がない。
【００５６】
図４は、図２の変形例を示しており、この実施例では、前記剛性接着部材９は、背部材２の他方のアーム７ａより長い一方のアーム７ｂによって実現され、第二カバーシート４は、重ね合わせ縁部１２によってアーム７ｂに取り付けられる。
【００５７】
これにより、第二カバーシート４が、アーム７ｂにおける背部材２の外側に面する側に固定される。
【００５８】
可撓性連結部８は、この実施例では、第一カバーシート３をアーム７ａの延長部に配置し、少なくとも第一カバーシート３及びアーム７ａの周りにコーティング１８を設け、アーム７ａと第一カバーシート３との間に、一種のヒンジを形成することによって実現されている。
【００５９】
この実施例では、必ずしも必要ではないが、コーティング１８は、両方のカバーシート３，４の周りと、背部材２の全体に設けられている。
【００６０】
このコーティング１８は、装飾的な印刷、色又は仕上げを有することができる。また、材料は、例えば、撥水性又は防汚性であるものが選択され得る。
【００６１】
接着剤層１３は、前記重ね合わせ縁部１２上に位置している。
【００６２】
その他の点に関しては、図４の実施例及びその使用方法は、図２の実施例と同じである。
【００６３】
本発明による装丁フォルダ１の変形実施例において、図４の剛性接着部材９を、図２の可撓性接着部材８と組み合わせることができることは明らかである。また、図２の剛性接着部材９を、図４の可撓性接着部材８と組み合わせることもできる。
【００６４】
上述した全ての実施例において、第一カバーシート３、即ち、装丁フォルダ１の前面を省略し、装丁フォルダ１が、背部材２に取り付けられた一枚のカバーシート４を有することを維持することは可能である。
【００６５】
図５は、図４の変形例として、一枚の単一カバーシート４を備えた装丁フォルダ１の別の実施例を示している。
【００６６】
ここでは、第一カバーシート３は省略され、かつ、第二カバーシート４が、可撓性接着部材８を備えた長いアーム７ｂに、図４の可撓性接着部材８と同じ方法で適用されている。
【００６７】
これは、カバーシート４が長いアーム７ｂの延長部に配置され、コーティング１８が、少なくともカバーシート４及びアーム７ｂの周りに配置され、アーム７ｂと第一カバーシート４との間に、一種のヒンジが形成されるようにすることを意味する。
【００６８】
図５に示した長いアーム７ｂとカバーシート４との間の可撓性接着部材を、平坦な帯状部材１０を用いて実現することも可能である。この場合、帯状部材１０は、カバーシート４の縁部１１に固定され、カバーシート４より可撓性があり、それにより、カバーシート４は、帯状部材１０を用いて背部材２のアーム７ｂに固定される。
【００６９】
図５の変形実施例及び上述した図５の全ての代替例において、接着剤層１３は、常に、アーム７ｂのレベルに位置しており、より具体的にはアームの延長部分に位置していることが留意される。
【００７０】
延長アーム７ｂ上へのカバーシート４の取付のための可撓性接着部８は、図４に適用することもできる。これは、図５の実施例に付加的カバーシート３を適用することに対応しており、その結果、装丁フォルダ１は、二つのカバーシート３及び４で実現され得ることが留意される。
【００７１】
本発明は、一例として記載され図示された実施形態に限定されるものではなく、本発明による装丁フォルダは、本発明の範囲から逸脱することなく、あらゆる種類の形態及び寸法で実現され得る。
【図１】
2020518489.tif 000003
【図２】
2020518489.tif 000004
【図３】
2020518489.tif 000005
【図４】
2020518489.tif 000006
【図５】
2020518489.tif 000007
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
紙葉束（１５）を束ねるための装丁フォルダであって、
装丁フォルダ（１）が、本質的に、少なくとも一枚のカバーシート（４）を備えた背部材（２）を備え、
背部材（２）が、底部（６）及び二つの垂直アーム（７ａ，７ｂ）を有するＵ字状プロファイル（５）を有し、
カバーシート（４）が一方のアーム（７ｂ）に取り付けられ、
装丁フォルダ（１）に、紙葉束（１５）を装丁フォルダ（１）内に取り付けるための接着剤層（１３）が設けられている
装丁フォルダにおいて、
接着剤層（１３）が、前記アーム（７ｂ）の剛性延長部に適用され、接着剤層（１３）がＵ字状プロファイル（５）に対して折り曲げたり、動いたりすることができないようにし、
前記アーム（７ｂ）の剛性延長部が、
背部材（２）の前記アーム（７ｂ）を、他方のアーム（７ａ）より長くし、接着剤層（１３）を前記アーム（７ｂ）の延長部分のレベル上に適用するようにすることで実現するか、又は、
背部材（２）の前記アーム（７ｂ）が、他方のアーム（７ａ）より長く、接着剤層（１３）を前記アーム（７ｂ）の延長部分のレベル上に適用するようにすることで実現する
ことを特徴とする装丁フォルダ。
【請求項２】
前記剛性接着部材（９）が、カバーシート（４）を剛性材料で形成し、カバー材料（４）を重ね合わせ縁部（１２）でアーム（７ｂ）に取り付けることによって実現される
ことを特徴とする請求項１に記載の装丁フォルダ。
【請求項３】
前記剛性接着部材（９）が、背部材（２）の一方のアーム（７ｂ）を他方のアーム（７ａ）より長くし、カバーシート（４）を重ね合わせ縁部（１２）で長いアーム（７ｂ）に取り付けることによって実現される
ことを特徴とする請求項１に記載の装丁フォルダ。
【請求項４】
カバーシート（４）が、アーム（７ｂ）における背部材（２）の内側に面する側に固定される
ことを特徴とする請求項２又は３に記載の装丁フォルダ。
【請求項５】
カバーシート（４）が、アーム（７ｂ）における背部材（２）の外側に面する側に固定される
ことを特徴とする請求項２又は３に記載の装丁フォルダ。
【請求項６】
装丁フォルダに、二つのカバーシート（３，４）が設けられ、
第一カバーシート（３）を、可撓性接着部材（８）を用いて第一アーム（７ａ）に取り付け、第一カバーシートが第一アーム（７ａ）に対して折り開くことができるようにし、
第二カバーシート（４）を第二アーム（７ｂ）に取り付け、この第二アーム（７ｂ）上又はその剛性延長部上に、前記接着剤層（１３）を設けた
ことを特徴とする請求項１〜５の何れか一項に記載の装丁フォルダ。
【請求項７】
可撓性連結部材（８）が、平坦な帯状部材（１０）によって実現され、
該帯状部材（１０）が、第一カバーシート（３）の縁部（１１）に固定され、かつ、第一カバーシート（３）より可撓性があり、
第一カバーシート（３）が、前記帯状部材（１０）を用いてＵ字状背部材（２）のアーム（７ａ）に対して固定される
ことを特徴とする請求項６に記載の装丁フォルダ。
【請求項８】
可撓性連結部（８）が、第一カバーシート（３）をアーム（７ａ）の延長部に配置し、コーティング（１８）を、少なくとも第一カバーシート（３）及びアーム（７ａ）の周りに設け、一種のヒンジを形成することによって実現される
ことを特徴とする請求項６に記載の装丁フォルダ。
【請求項９】
コーティング（１８）が、両方のカバーシート（３，４）及び背部材（２）全体に設けられる
ことを特徴とする請求項８に記載の装丁フォルダ。
【請求項１０】
接着剤層（１３）が、前記重ね合わせ縁部（１２）上に配置されている
ことを特徴とする請求項２〜９の何れか一項に記載の装丁フォルダ。
【請求項１１】
接着剤層（１３）に保護ストリップ（１４）が設けられる
ことを特徴とする請求項１〜１０の何れか一項に記載の装丁フォルダ。
【請求項１２】
接着剤が、一本のストリップの形態、又は、点線の形態で付与される
ことを特徴とする請求項１〜１１の何れか一項に記載の装丁フォルダ。
【請求項１３】
第一カバーシート（３）が透明又は半透明材料で形成され、
第二カバーシート（４）が不透明又は非半透明材料で形成される
ことを特徴とする請求項１〜１２の何れか一項に記載の装丁フォルダ。
【請求項１４】
Ｕ字状プロファイル（５）が、例えば、金属のような剛性材料で形成される
ことを特徴とする請求項１〜１３の何れか一項に記載の装丁フォルダ。 
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
紙葉束（１５）を束ねるための装丁フォルダであって、
装丁フォルダ（１）が、本質的に、少なくとも一枚のカバーシート（４）を備えた背部材（２）を備え、
背部材（２）が、底部（６）及び二つの垂直アーム（７ａ，７ｂ）を有するＵ字状プロファイル（５）を有し、
カバーシート（４）が一方のアーム（７ｂ）に取り付けられ、
装丁フォルダ（１）に、紙葉束（１５）を装丁フォルダ（１）内に取り付けるための接着剤層（１３）が設けられている
装丁フォルダにおいて、
接着剤層（１３）が、前記アーム（７ｂ）の剛性延長部に適用され、接着剤層（１３）がＵ字状プロファイル（５）に対して折り曲げたり、動いたりすることができないようにし、
前記アーム（７ｂ）の剛性延長部が、
背部材（２）の前記アーム（７ｂ）を、他方のアーム（７ａ）より長くし、接着剤層（１３）を前記アーム（７ｂ）の延長部分のレベル上に適用するようにすることで実現される、又は、
剛性接着部材（９）を用いてカバーシート（４）を前記アーム（７ｂ）に取り付け、接着剤層（１３）が前記剛性接着部材（９）のレベルに適用されるようにすることで実現される
ことを特徴とする装丁フォルダ。
【請求項２】
前記剛性接着部材（９）が、カバーシート（４）を剛性材料で形成し、カバー材料（４）を重ね合わせ縁部（１２）でアーム（７ｂ）に取り付けることによって実現される
ことを特徴とする請求項１に記載の装丁フォルダ。
【請求項３】
前記剛性接着部材（９）が、背部材（２）の一方のアーム（７ｂ）を他方のアーム（７ａ）より長くし、カバーシート（４）を重ね合わせ縁部（１２）で長いアーム（７ｂ）に取り付けることによって実現される
ことを特徴とする請求項１に記載の装丁フォルダ。
【請求項４】
カバーシート（４）が、アーム（７ｂ）における背部材（２）の内側に面する側に固定される
ことを特徴とする請求項２又は３に記載の装丁フォルダ。
【請求項５】
カバーシート（４）が、アーム（７ｂ）における背部材（２）の外側に面する側に固定される
ことを特徴とする請求項２又は３に記載の装丁フォルダ。
【請求項６】
装丁フォルダに、二つのカバーシート（３，４）が設けられ、
第一カバーシート（３）を、可撓性接着部材（８）を用いて第一アーム（７ａ）に取り付け、第一カバーシートが第一アーム（７ａ）に対して折り開くことができるようにし、
第二カバーシート（４）を第二アーム（７ｂ）に取り付け、この第二アーム（７ｂ）上又はその剛性延長部上に、前記接着剤層（１３）を設けた
ことを特徴とする請求項１〜５の何れか一項に記載の装丁フォルダ。
【請求項７】
可撓性連結部材（８）が、平坦な帯状部材（１０）によって実現され、
該帯状部材（１０）が、第一カバーシート（３）の縁部（１１）に固定され、かつ、第一カバーシート（３）より可撓性があり、
第一カバーシート（３）が、前記帯状部材（１０）を用いてＵ字状背部材（２）のアーム（７ａ）に対して固定される
ことを特徴とする請求項６に記載の装丁フォルダ。
【請求項８】
可撓性連結部（８）が、第一カバーシート（３）をアーム（７ａ）の延長部に配置し、コーティング（１８）を、少なくとも第一カバーシート（３）及びアーム（７ａ）の周りに設け、一種のヒンジを形成することによって実現される
ことを特徴とする請求項６に記載の装丁フォルダ。
【請求項９】
コーティング（１８）が、両方のカバーシート（３，４）及び背部材（２）全体に設けられる
ことを特徴とする請求項８に記載の装丁フォルダ。
【請求項１０】
接着剤層（１３）が、前記重ね合わせ縁部（１２）上に配置されている
ことを特徴とする請求項２〜９の何れか一項に記載の装丁フォルダ。
【請求項１１】
接着剤層（１３）に保護ストリップ（１４）が設けられる
ことを特徴とする請求項１〜１０の何れか一項に記載の装丁フォルダ。
【請求項１２】
接着剤が、一本のストリップの形態、又は、点線の形態で付与される
ことを特徴とする請求項１〜１１の何れか一項に記載の装丁フォルダ。
【請求項１３】
第一カバーシート（３）が透明又は半透明材料で形成され、
第二カバーシート（４）が不透明又は非半透明材料で形成される
ことを特徴とする請求項１〜１２の何れか一項に記載の装丁フォルダ。
【請求項１４】
Ｕ字状プロファイル（５）が、例えば、金属のような剛性材料で形成される
ことを特徴とする請求項１〜１３の何れか一項に記載の装丁フォルダ。 
【国際調査報告】
2020518489.tif 000008
2020518489.tif 000009
2020518489.tif 000010